(57)【要約】【課題】従来の撮影画像をコンピュータに取り込む方法にあっては、どの顧客の画像であるか、いつ撮影した画像であるか、誰が担当した顧客かなど画像毎に記録されていないため、別途記録された理美容院の来店記録と撮影画像と照らし合わせながら、顧客別、担当理美容師別などの分類の判断を行う必要があり、これらの作業は非常に面倒であり、かつ、手間が掛かるといった問題があった。【解決手段】顧客の施術部位等の顧客を撮影した画像をデジタル信号やアナログ信号として出力するカメラ５と、該カメラの近傍に近づくことで顧客を認識する無線タグ等の顧客識別手段２１と、前記カメラよりの顧客の画像を前記顧客認識手段に関連付けされた状態で顧客カルテデータベース１１３に記憶する記憶手段とを具備した撮影画像による顧客管理装置である。【選択図】　　　　図１
2004118534.tif 000002
【特許請求の範囲】
【請求項１】
顧客の施術部位等の顧客を撮影した画像をデジタル信号やアナログ信号として出力するカメラと、該カメラの近傍に近づくことで顧客を認識する無線タグ等の顧客認識手段と、前記カメラよりの顧客の画像を前記顧客認識手段に関連付けされた状態で顧客カルテデータベースに記憶する記憶手段とを具備したことを特徴とする撮影画像による顧客管理装置。
【請求項２】
顧客の施術部位等の顧客を撮影した画像をデジタル信号やアナログ信号として出力するカメラと、該カメラの近傍に近づくことで顧客を認識する無線タグ等の顧客認識手段と、該顧客の施術を担当する施術者を認識する無線タグ等の施術者認識手段と、前記カメラよりの顧客の画像を前記顧客認識手段と施術者認識手段のそれぞれに関連付けされた状態で顧客カルテデータベースおよび施術者別施術画像データベースに記憶する記憶手段とを具備したことを特徴とする撮影画像による顧客管理装置。
【請求項３】
有線あるいは無線で撮影スイッチを操作することで、前記カメラからの前記顧客の画像を取り込んで前記記憶手段に記憶できるようにしたことを特徴とする請求項１または請求項２に記載の撮影画像による顧客管理装置。
【請求項４】
前記カメラは顧客が着座する椅子の近傍に設置され、該椅子には回転角度を検出する角度センサが取付けられ、該角度センサよりの信号毎に撮影された前記顧客の画像は、前記記憶手段において前記角度毎に分類されて記憶されるようにしたことを特徴とする請求項１または請求項２に記載の撮影画像による顧客管理装置。
【請求項５】
前記顧客カルテデータベースおよび施術者別施術画像データベースに記憶されている施術部位の画像を呼び出し可能なように無線ランを介して接続されるモバイル端末機を具備し、該モバイル端末機によって少なくとも顧客の画像を見ることができると共に、前記モバイル端末機に顧客の画像を記録できるようにしたことを特徴とする請求項１または請求項２に記載の撮影画像による顧客管理装置。
【請求項６】
前記モバイル端末機に前記カメラからの画像を取り込むための撮影ボタンを配置したことを特徴とする請求項５に記載の撮影画像による顧客管理装置。
【発明の詳細な説明】
【０００１】
【発明の属する技術分野】
本発明は、理美容院や歯科医院におけるコンピュータを使用しての顧客管理装置において、該顧客管理装置における顧客データの中に少なくとも施術後における顧客の施術部位や顔写真を撮影し、その撮影した画像を前記顧客データ内に自動的に取り込むようにした撮影画像による顧客管理装置に関する。
【０００２】
【従来の技術】
【特許文献１】特開平１１−１５８７７号公報
この出願は、理美容院において顧客管理、売上管理、技術管理等の管理を行うのに、パーソナルコンピュータを使用して行うものであった。すなわち、顧客の予約データや予約して来店して施術を行うスタッフの管理等をコンピュータによって管理し、また、前記施術の終了後における売上も管理するようにしたものであった。
【０００３】
ところで、前記顧客データに顧客の施術した後のヘアスタイル画像も取り込みたいとの需要があることから、近年、デジタルカメラによって撮影した画像を前記顧客データに理美容院側が人手によって選別しながら取り込んでいた。すなわち、顧客の施術後に撮影した画像をメモリカードである外部記録媒体を介して、あるいは、デジタルカメラからＵＳＢケーブル等を介してコンピュータのメモリ内に記憶されている顧客データ中に転送し、手動で、撮影日時、顧客、担当理美容師等に分類して保管するのが一般的であった。
【０００４】
【発明が解決しようとする課題】
ところで、前記した従来例のデジタルカメラの撮影画像を顧客データに手動によって取り込む方法にあっては、顧客データに顧客の施術画像、仕上がりスタイル等の、撮影・転送・分類・保管という一連の作業に手間と時間がかかるため、営業時間中に行うことができず、理美容師は施術中に撮影のみを行い、営業が終了した後に撮影した画像をまとめてコンピュータへの分類・保管等の取り込み作業を行っていた。
【０００５】
しかも、この分類作業では、撮影された画像が、どの顧客の画像であるか、いつ撮影した画像であるか、誰が担当した顧客かなど画像毎に記録されていないため、別途記録された理美容院の来店記録と撮影画像と照らし合わせながら、顧客別、担当理美容師別などの分類の判断を行う必要があり、これらの作業は非常に面倒であり、かつ、手間が掛かるといった問題があった。
【０００６】
さらに、１台のデジタルカメラを複数の理美容師が共用する場合には、全ての来店客の画像が１つのデジタルカメラに記録されているために、コンピュータに記録する時に担当した理美容師が一つ一つの画像に対して来店客の誰の画像であるかを判断しながら行う必要があり分類作業に面倒であるといった問題もあった。
【０００７】
本発明は前記した問題点を解決せんとするもので、その目的とするところは、施術者が顧客の画像を手間と時間をかけることなく、コンピュータのメモリに対して撮影・転送・分類および記録できるようにした撮影画像による顧客管理装置を提供せんとするにある。
【０００８】
【課題を解決するための手段】
本発明の撮影画像による顧客管理装置は前記した目的を達成せんとするもので、請求項１の手段は、顧客の施術部位等の顧客を撮影した画像をデジタル信号やアナログ信号として出力するカメラと、該カメラの近傍に近づくことで顧客を認識する無線タグ等の顧客認識手段と、前記カメラよりの顧客の画像を前記顧客認識手段に関連付けされた状態で顧客カルテデータベースに記憶する記憶手段とを具備したものである。
【０００９】
また、請求項２の手段は、顧客の施術部位等の顧客を撮影した画像をデジタル信号やアナログ信号として出力するカメラと、該カメラの近傍に近づくことで顧客を認識する無線タグ等の顧客認識手段と、該顧客の施術を担当する施術者を認識する無線タグ等の施術者認識手段と、前記カメラよりの顧客の画像を前記顧客認識手段と施術者認識手段のそれぞれに関連付けされた状態で顧客カルテデータベースおよび施術者別施術画像データベースに記憶する記憶手段とを具備したものである。
【００１０】
請求項３の手段は、前記請求項１または２の手段において、有線あるいは無線で撮影スイッチを操作することで、前記カメラからの前記顧客の画像を取り込んで前記記憶手段に記憶できるようにしたことを特徴とする。
【００１１】
請求項４の手段は、前記請求項１または２において、前記カメラは顧客が着座する椅子の近傍に設置され、該椅子には回転角度を検出する角度センサが取付けられ、該角度センサよりの信号毎に撮影された前記顧客の画像は、前記記憶手段において前記角度毎に分類されて記憶されるようにしたことを特徴とする。
【００１２】
請求項５の手段は、請求項１または請求項２において、前記顧客カルテデータベースおよび施術者別施術画像データベースに記憶されている施術部位の画像を呼び出し可能なように無線ランを介して接続されるモバイル端末機を具備し、該モバイル端末機によって少なくとも顧客の画像を見ることができると共に、前記モバイル端末機に顧客の画像を記録できるようにしたことを特徴とする。
【００１３】
請求項６の手段は、請求項５において、前記モバイル端末機に前記カメラからの画像を取り込むための撮影ボタンを配置したことを特徴とする。
【００１４】
【発明の実施の形態】
以下、本発明に係る撮影画像による顧客管理装置、ここでは、理美容院で使用した場合の一実施の形態を図面と共に説明する。
図１は撮影画像による顧客管理装置のシステムブロック図を示し、１は理美容院に設置されたコンピュータ（以下、サロンＰＣという）にして、顧客が貸与された無線タグ２１および理美容師が所有する無線タグ２２に対して顧客認識データおよび理美容師認識データを書き込むためのタグ書込手段１ａが接続されている。
【００１５】
３は同じく理美容院に設置され、後述するカメラ５よりの画像を記憶する画像サーバにして、前記したと同様な顧客が貸与された無線タグ２１および理美容師が所有する無線タグ２２からの前記認識データを読み取るためのタグ読取手段３ａが接続されている。
【００１６】
４は前記サロンＰＣ１と画像サーバ３とでネットワークを構成するＷＷＷサーバにして、該ＷＷＷサーバ４には後述するカメラ５で撮影した被施術者のヘアスタイル画像を表示するための画像カルテＣＧＩ（Ｃｏｍｍｏｎ　Ｇａｔｅｗａｙ　Ｉｎｔｅｒｆａｃｅ）が搭載されている。５は前記画像サーバに接続された顧客である被施術者のヘアスタイルや顔の画像をデジタル信号やアナログ信号として出力するカメラである。
【００１７】
理美容椅子６には回転角度を検出するための角度センサ６ａが取付けられており、画像サーバ３に対して理美容椅子６のカメラに対する角度信号を出力する。これは、被施術者のヘアスタイルを撮影する際に、正面からの写真か、側面からの写真か、あるいは、背面からの写真かを画像サーバ３に対して送信し、画像サーバ３において格納する際に、撮影した画像を分類して整理するためである。
【００１８】
７は前記カメラ５よりの画像を取り込むための撮影スイッチにして、画像サーバ３と有線あるいは無線で接続されている。そして、撮影スイッチ７を操作することで、着座している被施術者のヘアスタイル画像が画像サーバ３に格納されることとなる。なお、前記角度センサ６ａによって複数の画像を取り込む場合には、理美容椅子６が停止した位置毎に撮影スイッチ７を操作することは勿論のことである。
【００１９】
８は前記ＷＷＷサーバ４と無線ランによって前記ネットワークに接続されるモバイル端末機にして、該モバイル端末機８はカメラ５よりの画像を前記画像サーバ３に取り込むためのタッチパネルとなっており、また、モバイル端末機８はキーボードやペン入力によって文字入力も行えるようになっている。なお、前記したタッチパネル方式に変えてモバイル端末機８に備えられたハードキー（機械的なスイッチ）としてもよい。
【００２０】
前記したサロンＰＣ１の記憶装置１１には、顧客の氏名、性別、住所、電話番号、その他属性等が記憶された顧客マスタデータベース１１１と、理美容師の氏名、性別、その他属性等が記憶された理美容師マスタデータベース１１２と、前記顧客マスタデータベース１１１とリンクされた顧客名、来店日時、その他属性等が記憶された顧客カルテデータベース１１３と、前記理美容師マスタデータベース１１２とリンクされた担当者名、施術日時、その他属性等が記憶された理美容師別施術画像データベース１１４と、前記タグ書込手段１ａに対して前記顧客マスタデータベース１１１および理美容師マスタデータベース１１２からの情報を書き込むための無線タグ書込アプリケーション１１５と、前記顧客データベース１１３に基づいて顧客の画像を閲覧するための画像カルテアプリケーション１１６と、前記理美容師別施術画像データベース１１４に基づいて各理美容師が施術した顧客の画像を閲覧するための理美容師別施術履歴アプリケーション１１７とが格納されている。
【００２１】
前記した画像サーバ３の記憶装置３１には、顧客の画像ファイル、前記顧客カルテデータベースの顧客名とリンクされた顧客名、前記理美容師別施術画像データベースとリンクされた担当者および施術日時とリンクされた撮影日時や画像ファイル名、その他属性等が記憶された撮影画像データベース３１１と、前記撮影画像データベース３１１にカメラ５で撮影した顧客の画像を記録するための画像分類記録アプリケーション３１２と、前記理美容椅子６の角度センサ６ａよりの出力（理美容椅子６の角度）を前記画像分類記録アプリケーション３１２に出力する椅子角度検知アプリケーション３１３と、顧客および理美容師が所有する無線タグよりの認識データを読み込み前記画像分類記録アプリケーション３１２に出力する無線タグ読込アプリケーション３１４と、前記カメラ５で撮影した顧客の画像を前記画像分類記録アプリケーション３１２に出力する画像撮影アプリケーション３１５とが格納されている。
【００２２】
前記ＷＷＷサーバ４の記憶装置４１には前記撮影画像データベース３１１に対して閲覧に行く、ＷＷＷブラウザから外部プログラムを呼び出し起動させ、その実行結果をＷＷＷブラウザ上で表示する画像カルテＣＧＩ４１１が格納されている。
【００２３】
次に、前記したシステムブロックに基づいて図２のフローチャートと共に動作を説明する。
先ず、理美容院の開店準備において（ステップＳ１）、無線タグ書込アプリケーション１１５によって担当者氏名等の担当者に関連する情報を理美容師マスタデータベース１１２から参照し（ステップＳ２）、前記無線タグ書込アプリケーション１１５が参照した担当者氏名等をタグ書込手段１ａを介して理美容師が所持する無線タグ２２に書き込む（ステップＳ３）。
【００２４】
このように、当日出勤している理美容師がタグを所持した状態において、顧客が来店すると（ステップＳ４）、無線タグ書込アプリケーション１１５によって顧客の氏名等の顧客に関連する情報を顧客マスタデータベース１１１から参照し（ステップＳ５）、前記無線タグ書込アプリケーション１１５が参照した顧客氏名等をタグ書込手段１ａを介して顧客に貸与する無線タグ２１に書き込む（ステップＳ６）。
【００２５】
このようにして、理美容師および顧客が無線タグを所持した状態において、顧客および理美容師が理美容椅子６の近傍に設置されたタグ読込手段３ａに近づくと、無線タグ読込アプリケーション３１４を通じて顧客および理美容師が所持している無線タグ２１，２２に対応する顧客情報と理美容師情報とを読み込む（ステップＳ７）。
【００２６】
このように、着座した顧客と施術する理美容師が誰であるかが確定された後、理美容師が施術前の顧客のヘアスタイルを取り込むための撮影スイッチ７を操作して、該操作した時点における画像を取り込む（ステップＳ８）。次いで、無線タグ読込アプリケーション３１４より顧客認識データと理美容師認識データとが画像分類記録アプリケーション３１２に出力する（ステップＳ９）。また、カメラ５よりの画像は画像撮影アプリケーション３１５に記憶される（ステップＳ１０）。
【００２７】
そして、画像撮影アプリケーション３１５に記憶された顧客の画像は、画像分類記録アプリケーション３１２によって読み出され、顧客との関連付けが行われて撮影画像データベース３１１において記憶される（ステップＳ１１）。
【００２８】
なお、前記撮影を行うに際して、顧客の正面、側面、背面等のように各方向からの画像が必要な場合には、例えば、理美容椅子６を正面に向けた状態、側面に向けた状態および背面に向けた状態で撮影を行う場合には、該理美容椅子６の角度センサ６ａより椅子の角度が椅子角度検知アプリケーション３１３に記憶され、画像分類記録アプリケーション３１２は前記カメラ５より取り込んだ前記３つの位置での画像と理美容椅子６の回転角度とを関連付けして、その画像とファイル名とを撮影画像データベース３１１において記憶する。
【００２９】
また、撮影画像データベース３１１は、前記記憶した撮影画像と無線タグ読込アプリケーション３１４よりの顧客認識データと理美容師認識データとも画像分類記録アプリケーション３１２を介して関連付けして記憶すると共に、現在の日時も関連付けして記憶される（ステップＳ１２）。なお、施術終了後における顧客のヘアースタイルを撮影する場合にも、前記したステップＳ８〜ステップＳ１２を繰り返し行うことで、前記施術前の画像と組み合わせ記憶される。
【００３０】
次に、顧客別や来店日時別に顧客のヘアスタイルを閲覧する場合の動作を図３のフローチャートと共に説明する。
先ず、サロンＰＣ１によって画像カルテアプリケーション１１６を起動する（ステップＳ２１）。次いで、閲覧したい顧客の顧客名や来店日時等を顧客カルテデータベース１１３からサロンＰＣ１のキーボードやマウスから選択する（ステップＳ２２）。この選択が行われると、画像カルテアプリケーション１１６が顧客カルテデータベース１１３からリンクされている画像サーバ３における撮影画像データベース３１１から、前記選択された対象となる顧客名あるいは来店日時に該当する顧客のヘアスタイルの画像がサロンＰＣ１のディスプレーにおいて表示される（ステップＳ２３）。なお、マウスをクリックすることで、該顧客の施術前画像や施術後画像および前々回の画像などが順次表示される。
【００３１】
次に、理美容師が担当している顧客のヘアスタイルを閲覧する場合の動作を図４のフローチャートと共に説明する。
先ず、サロンＰＣ１の理美容師別施術履歴アプリケーション１１７を起動する（ステップＳ３１）。次いで、閲覧したい担当の担当者名や施術日時をサロンＰＣ１のキーボードやマウスから選択する（ステップＳ３２）。この選択が行われると、理美容師別施術履歴アプリケーション１１７が理美容師別施術画像データベース１１４からリンクされている画像サーバ３における撮影画像データベース３１１から、前記選択された対象となる理美容師名あるいは施術日時に該当する顧客のヘアスタイルの画像がサロンＰＣ１のディスプレーにおいて表示される（ステップＳ３３）。なお、マウスをクリックすることで、該担当理美容師が担当した顧客の画像が順次表示される。
【００３２】
次に、モバイル端末機８による画像カルテＣＧＩの動作を図５のフローチャートと共に説明する。
先ず、理美容師はモバイル端末機８を携帯し無線ランによってネットワークに接続し、予めＷＷＷサーバ４の画像カルテＣＧＩをモバイル端末機８のブラウザで読み込んだ画像カルテ画面を表示しておく。なお、画像カルテＣＧＩは、ＣＧＩプログラムであるので、ブラウザからアクセスされるＷＷＷサーバ内で必要な処理を実行して、その結果を元にＨＴＭＬを生成しブラウザに送信する処理を行っている。すなわち、カルテ画面はＨＴＭＬ形式であるが、以降の説明ではこのＨＴＭＬ生成処理の説明は省略する。
【００３３】
この状態において、前記した動作と同様に顧客が自己の情報の書かれた無線タグを携帯し（ステップＳ４１）、また、理美容師が自己の情報の書かれた無線タグを携帯していると（ステップＳ４２）、ＷＷＷサーバ４の画像カルテＣＧＩをモバイル端末機８のブラウザで読み込んで画像カルテ画面を表示させることにより（ステップＳ４３）、無線タグから顧客名がカルテ画面に自動的に設定され（ステップＳ４４）、また、同様に無線タグから担当理美容師の名前が自動的に設定されると（ステップＳ４５）共に、本日の日付もカルテ画面に自動的に設定され、モバイル端末機８における図５に示すカルテ画面の顧客名、施術日および担当者名の欄に表示される（ステップＳ４６）。
【００３４】
また、顧客が来店した時に、受付等で本日の施術が何であるかを聞いて、前記タグ書込手段１ａによって前記聞いた施術メニュー（例えば、パーマやカット等のメニュー）を顧客に貸与する無線タグ２１に入力しておくことで、モバイル端末機８におけるカルテ画面のメニュー欄に表示される（ステップＳ４７）。
【００３５】
次に、理美容師が顧客の施術前において、モバイル端末機８におけるカルテ画面上の施術前撮影ボタンをタッチすると、該タッチした信号がネットワークを介して画像撮影アプリケーション３１５に出力され、カメラ５が被施術者のヘアスタイルを撮影する（ステップＳ４８）。
【００３６】
この撮影画像はカルテ画面の施術前の欄に表示されると共に、該撮影画像は前記した実施の形態と同様に顧客名、担当理美容師名等の情報と共に、撮影画像データベース３１１、顧客カルテデータベース１１３および理美容師別施術画像データベース１１４にそれぞれ記憶され、かつ、各データがリンクされる（ステップＳ４９）。
【００３７】
そして、理美容師が顧客の施術後に再び施術後撮影ボタンにタッチすると、該タッチした信号がネットワークを介して画像撮影アプリケーション３１５に出力され、カメラ５が被施術者のヘアスタイルを撮影する（ステップＳ５０）。
【００３８】
この撮影画像はカルテ画面の施術後の欄に表示されると共に、該撮影画像は前記した実施の形態と同様に顧客名、担当理美容師名等の情報と共に、撮影画像データベース３１１、顧客カルテデータベース１１３および理美容師別施術画像データベース１１４のそれぞれに記憶され、かつ、各データがリンクされる（ステップＳ５１）。
【００３９】
また、理美容師が施術後の施術内容を記録したいと思った場合には、画像カルテのコメント（施術内容）の欄に、ペン入力等によって施術内容を記載することで、該記載内容が表示されると共に顧客カルテデータベース１１３のその他属性に記憶される（ステップＳ５２）。
【００４０】
なお、モバイル端末機８におけるカルテ画面には施術開始時間と施術終了時間の表示があるが、該施術開始時間は例えば施術前の画像を取り込んだ時間を、また、施術終了時間は例えば施術後の画像を取り込んだ時間とすることができる。また、前記施術前および終了後の撮影画像は、前記した実施の形態と同様に理美容椅子６の回転角度毎に撮影したものを表示および記憶させてもよい。
【００４１】
また、前記したモバイル端末機８におけるカルテ画面の施術日変更ボタンをクリックすることで、以前に来店した時に撮影した撮影画像を表示することもできるので、該撮影画像を顧客に見せながらカウンセリングを行ったりすることも可能である。
【００４２】
さらに、前記した実施の形態にあっては、顧客および理美容師の認識を無線タグによって行う場合について説明したが、無線タグに変えて無線ＩＣカード、バーコードや磁気カードを持たせてもよい。
【００４３】
前記した画像カルテ画面はＨＴＭＬ（インターネットのホームページ）であるので、理美容室の経営者などが、施術中の理美容師のモバイル端末機８に表示されている画像カルテ画面をパソコンのブラウザ等で同時に見ることができるので、例えば、画像が一定間隔に撮影されるように設定されている場合には、被施術者に対する現在の施術状況を離れた場所からリアルタイムで確認することも可能である。
【００４４】
また、前記した実施の形態にあっては、理美容椅子に着座した顧客の顔写真やヘアスタイル画像を画像サーバ３に取り込む場合について説明したが、前記各画像を取り込むための部屋を設けて、該部屋にタグ読取手段３ａとカメラ５を設置し、該部屋に顧客を導いて前記した画像を画像サーバ３に取り込むようにしてもよい。
【００４５】
なお、前記した実施の形態にあっては、理美容院で顧客の認識を行うための顔写真やヘアスタイルを画像サーバ３に記憶させる場合について説明したが、歯科医院において顔写真と口腔内の画像やデジタルレントゲン画像を、また、化粧品店やエステティックサロン等におけるメイクアップ画像等を画像サーバ３に記憶するようにしてもよい。
【００４６】
【発明の効果】
本発明は前記したように、少なくとも顧客の施術部位を撮影した画像を、該顧客のカルテデータベースに関連付けして自動的に記録するようにしたので、撮影後における画像の保管や分類に要する作業が全く必要でなくなり、かつ、正確に保存することができる。
【００４７】
また、撮影された画像は顧客のみならず施術者にも関連付けして記憶されるので、一人の施術者が施術した多数の顧客の画像を簡単に検索して見ることができ、該施術者の施術技術の向上に役立てることができる。
【００４８】
また、理美容椅子等の施術椅子に、該椅子の回転角度を検出するための角度センサを取付けたので、着座している顧客の施術部位を色々な角度から撮影できると共に、この撮影した画像も分類して記憶手段に記録できるので、撮影画像を見るときに簡単に各角度からの画面を選択して見ることができる。
【００４９】
さらに、カメラよりの画像を取り込むためのスイッチを理美容椅子の近傍に配置することにより、施術中等の撮影したい時に施術椅子から離れることなくスイッチを操作して簡単に撮影することができる。
【００５０】
また、ラン接続によってモバイル端末機を接続することにより、前記撮影した画像や以前に撮影した画像を手元で見ることができるので、この画像を顧客に見せながらカウンセリングも行うことができ、さらに、モバイル端末機にカメラからの画像を取り込むためのスイッチを配置することにより、モバイル端末機を操作しながら画像を撮影することもできる等の効果を有するものである。
【図面の簡単な説明】
【図１】本発明に係る撮影画像による顧客管理装置のシステムブロック頭である。
【図２】画像撮影システムのフローチャートである。
【図３】顧客別の画像を閲覧するためのフローチャートである。
【図４】理美容師別の画像を閲覧するためのフローチャートである。
【図５】モバイル端末機により画像撮影システムのフローチャートである。
【図６】モバイル端末機によるカルテＣＧＩ画面を示す説明図である。
【符号の説明】
１　　　　　サロンＰＣ
１１３　　　顧客カルテデータベース
１１４　　　理美容師別施術画像データベース
２１，２２　無線タグ
３　　　　　画像サーバ
３１１　　　撮影画像データベース
４　　　　　ＷＷＷサーバ
４１１　　　画像カルテＣＧＩ
５　　　　　カメラ
６　　　　　理美容椅子
６ａ　　　　角度センサ
７　　　　　撮影スイッチ
８　　　　　モバイル端末機
【図１】
2004118534.tif 000003
【図２】
2004118534.tif 000004
【図３】
2004118534.tif 000005
【図４】
2004118534.tif 000006
【図５】
2004118534.tif 000007
【図６】
2004118534.tif 000008